(57)【要約】      （修正有）【課題】駐車中に、夏場の強い日差しによって車内の異常な温度上昇を回避し、快適な運転を保障するための自動車用日除装置の提供。【解決手段】自動車の屋根の先端部に、両側に配した脚杆１，１により適宜の手段によって固定されるカバー４と、前記脚杆１，１上に、回転自在に軸架され、小型モーター５，６の動力で回転し、前記カバー４内に設置された２本の巻軸２，３と、該巻軸２，３上に夫々巻装され、前記カバー４の前後に設けた出入口４ａ，４ｂから引出し可能となる２枚の日除シート７，８を設けた。【選択図】    図１
2004175329.tif 000002
【特許請求の範囲】
【請求項１】
自動車の屋根の先端部に、両側に配した脚杆１，１により適宜の手段によって固定されるカバー４と、前記脚杆１，１上に、回転自在に軸架され、小型モーター５，６の動力で回転し、前記カバー４内に設置された２本の巻軸２，３と、該巻軸２，３上に夫々巻装され、前記カバー４の前後に設けた出入口４ａ，４ｂから引出し可能となる２枚の日除シート７，８と、前記自動車の屋根の先方部、中央部並びに後方部には、屋根の幅員に相当する幅をもち、適宜の手段で屋根上に固定される逆Ｕ字状の適度の高さを有する枠部材９，１０，１１と、自動車のボンネット先端に同じく適宜の手段で固定される枠部材１２とからなり、前記日除シート７，８を手動で引出して一方の日除シート７で前記枠部材９，１０，１１を含む自動車の屋根からトランクルーム上を覆い、該日除シート７の端部に設けたフック１３を自動車の下部に着脱自在に係着し、又、他方の日除シート８で自動車のフロントガラス及び前記枠部材１２を含むボンネット上を覆い、前記と同じく日除シート８の端部に設けたフック１３を自動車の下部に着脱自在に係着し、且つ前記小型モーター５，６の動力で夫々の日除シート７，８をカバー４内の巻軸２，３上に巻込むようになる自動車用日除装置。
【請求項２】
前記日除シート７，８は、表面が薄い柔軟性を有するポリエチレンシート７ａ，８ａがあり、このポリエチレンシート７ａ，８ａの裏面に薄いアルミニウムフィルム等の断熱部材７ｂ，８ｂと、該断熱部材７ｂ，８ｂの裏面に薄い樹脂製のスポンジシート７ｃ，８ｃを一体的に貼着すると共に、前記日除シート７において、自動車の屋根部分を覆うシートの両側に、自動車の幅員と略々等しい位置に折畳線７ｄを介して短寸の延長部材７ｅを設け、該延長部材７ｅが日除シート７上に折畳可能となる請求項１記載の自動車用日除装置。
【請求項３】
前記日除シート７，８及び延長部材７ｅにおいて、ポリエチレンシート７ａ，８ａと断熱部材７ｂ，８ｂの間に縦方向に延びる柔軟性豊かな極細のステンレスワイヤー７ｆ，８ｆを介在させるようにした請求項１記載の自動車用日除装置。
【請求項４】
前記枠部材９，１０，１１の両端に、外方に突出さ  な短寸の補助杆１４を設け、この補助杆１４を外方に突出させ、この突出部分に前記日除シート７の延長部７ｅを展開させ、延長部７ｅの端縁に付設した糸製のループ１５を前記補助杆１４の端部に形成した係止溝１６に着脱可能に付着するようになる請求項１記載の自動車用日除装置。
【発明の詳細な説明】
【０００１】
【発明の属する技術分野】
本発明は、駐車中に夏場の強い日差しによって車内の異常な温度上昇を回避し、快適な運転を保障するための自動車用日除装置に関するものである。
【０００２】
【従来の技術】
従来は駐車中に夏場の強い日差しによる自動車内の高温化を回避するため、ダッシュボード上に蛇腹式の熱反射板を置くものがあるが、これは単にダッシュボード及びハンドル等の高温加熱を防止するものであって、自動車内全体の高温化を阻止するものは全くない。
【０００３】
【発明が解決しようとする課題】
夏場の強い日差しの中に駐車しておくと、自動車内が異常な高温となり、近年この現象による乳幼児等の死亡事故も発生している。
本発明は前記のような弊害を防止し、自動車を木陰等に駐車した場合と略々同様の状態を維持し得るようになる自動車用日除装置の提供を目的としたものである。
【０００４】
【課題を解決するための手段】
本発明は、前記の目的を達成する手段として、自動車の屋根の先端部に、両側に配した脚杆１，１により適宜の手段によって固定されるカバー４と、前記脚杆１，１上に、回転自在に軸架され、小型モーター５，６の動力で回転し、前記カバー４内に設置された２本の巻軸２，３と、該巻軸２，３上に夫々巻装され、前記カバー４の前後に設けた出入口４ａ，４ｂから引出し可能となる２枚の日除シート７，８と、前記自動車の屋根の先方部、中央部並びに後方部には、屋根の幅員に相当する幅をもち、適宜の手段で屋根上に固定される逆Ｕ字状の適度の高さを有する枠部材９，１０，１１と、自動車のボンネット先端に同じく適宜の手段で固定される枠部材１２とからなり、前記日除シート７，８を手動で引出して一方の日除シート７で前記枠部材９，１０，１１を含む自動車の屋根からトランクルーム上を覆い、該日除シート７の端部に設けたフック１３を自動車の下部に着脱自在に係着し、又、他方の日除シート８で自動車のフロントガラス及び前記枠部材１２を含むボンネット上を覆い、前記と同じく日除シート８の端部に設けたフック１３を自動車の下部に着脱自在に係着し、且つ前記小型モーター５，６の動力で夫々の日除シート７，８をカバー４内の巻軸２，３上に巻込むようにした。
【０００５】
【発明の実施の形態】
本発明の具体的な構成を図にもとづいて説明すると、自動車（主に乗用車）の屋根の先端部両側に立設される脚杆１，１は、適当な取付手段によって立設固定され、この脚杆１，１にカバー４を固定すると共に、該カバー４には前記脚杆１，１に回転自在に軸架された２本の平行する巻軸２，３と該巻軸２，３を回転させるための小型モーター５，６が設置されている。
前記カバー４内の２本の巻軸２，３上には、夫々日除シート７，８が巻装されていて、この日除シート７，８は、前記カバー４の長手方向の前後面に設けた出入口４ａ，４ｂから引出し可能になっており、前記小型モーター５，６の動力でカバー４内に巻き戻し、カバー４内に収納するようになる。
【０００６】
つぎに、自動車の屋根の先方部、中央部並びに後方部には、屋根の幅員に相当する幅をもち、適宜の手段で屋根上に固定される逆Ｕ字状の適度の高さを有する枠部材９，１０，１１と、自動車のボンネット先端に同じく適宜の手段で固定される枠部材１２を設け、前記日除シート７，８を手動で引出して、一方の日除シート７で前記枠部材９，１０，１１を含む自動車の屋根からトランクルーム上を覆い、該日除シート７の端部に設けたフック１３を自動車の下部に着脱自在に係着し、又、他方の日除シート８で自動車のフロントガラス及び前記枠部材１２を含むボンネット上を覆い、日除シート８の端部に設けたフック１６を自動車の下部に着脱自在に係着する。
【０００７】
而して、日除シート７，８は、表面が薄い柔軟性を有するポリエチレンシート７ａ，８ａがあり、このポリエチレンシート７ａ，８ａの裏面に薄いアルミニウムフィルム等の断熱部材７ｂ，８ｂと、該断熱部材７ｂ，８ｂの裏面に薄い樹脂製のスポンジシート７ｃ，８ｃを一体的に貼着すると共に、前記一方の日除シート７において、自動車の屋根部分を覆うシートの両側に、自動車の幅員と略々等しい位置に折畳線７ｄを介して短寸の延長部材７ｅを設け、該延長部材７ｅは前記と同様の資材からなっており、前記折畳線７ｄから日除シート７上に折畳可能となる。
【０００８】
また、前記枠部材９，１０，１１の先端部には、適度の長さをもつ凹陥部ｂが形成されており、この凹陥部ｂに補助杆１４が摺動自在に設置され、前記凹陥部ｂには、両側にガイド溝ｃがあり、このガイド溝ｃに補助杆１４の両側下部に突出している係合片ｄが係合すると共に凹陥部ｂの手前に突設したストッパーｅに補助杆１４の後方部に設けたリブｆが係当することによって該補助杆１４の抜出しが防止され、又、前記補助杆１４の先端部にはスプリングｇの弾圧を受けるプッシュ部材ｈがあり、該プッシュ部材ｈと一体をなすフックｉの爪ｊが凹陥部ｂに穿った係止孔ｋに係着することによって補助杆１４の格納状態を維持し、プッシュ部材ｈを押圧して爪ｊの係合を解除すると補助杆１４は外方に引出し可能となって枠部材９，１０，１１の側方に突出状態となり、この突出した補助杆１４上に前記日除シート７の両側に設けた延長部材７ｅが被載し、延長部材７ｅの端縁に設けた糸製のループ１５が、前記補助杆１４の端部に形成してなる係止溝１７に着脱自在に係着するようになる。
【０００９】
つぎに、トラックの場合は、運転席の屋根の後方部両側に、適度の高さをもつ脚杆１８，１８を立設し、この脚杆１８，１８にカバー１９を固定すると共に、このカバー１９内に小型モーター２０によって回転する１本の巻軸２１を脚杆１８，１８上に回転自在に軸装すると共に、該巻軸２１上に前記日除シート８と同様の材質からなる日除シート２２を巻着し、カバー１９の出入口１９ａから出し入れ可能となっており、日除シート２２の端縁に設けたフックを自動車の下部に係着するようになる。
【００１０】
而して、本発明に係る日除シート７，８及び２２は夫々端縁部に設けたループ２３に伸縮可能な引出棒２４のフック２５を係合して各日除シートを引出し、この日除シート７，８，２２を格納するときは、小型モーター５，６，２０の動力を各巻軸上に巻込むようにして各カバー内に格納するものである。
【００１１】
【発明の効果】
本発明によれば、日除シートで自動車全体或いはトラック自動車においては運転席部分を覆い、しかも日除シートと自動車との間に適度の空間が形成されて風通しも良好となり、且つ日除けシートは断熱部材が入っているので夏場の強い日差しの中に駐車した場合でも自動車内の異常高温化が回避され、木陰等に駐車した場合と同様の状態が得られるものである。
【図面の簡単な説明】
【図１】本発明の使用状態を示す斜視図
【図２】同側面図
【図３】日除シートの展開図
【図４】日除シートの巻取り構造を示す斜視図
【図５】同側面図
【図６】枠部材の斜視図
【図７】使用状態を背部から見た図
【図８】補助杆部分の平面図
【図９】同補助杆部分の内部構造を示す図
【図１０】同横断面図
【図１１】トラック自動車の使用状態を示す斜視図
【図１２】同側面図
【図１３】同日除シートの展開図
【図１４】日除シートの引出し棒の斜視図
【図１５】同日除シートのカバー部分を示す斜視図
【図１６】同カバーの断面図
【図１７】日除シートの端面図
【図１８】同シートの構造を示す断面拡大図
【符号の説明】
１  脚杆
２，３  巻軸
４  カバー
５，６  小型モーター
７，８  日除シート
９，１０，１１  枠部材
１２  枠部材
１３  フック
１４  補助杆
１５  ループ
１６  係止溝
【図１】
2004175329.tif 000003
【図２】
2004175329.tif 000004
【図３】
2004175329.tif 000005
【図４】
2004175329.tif 000006
【図５】
2004175329.tif 000007
【図６】
2004175329.tif 000008
【図７】
2004175329.tif 000009
【図８】
2004175329.tif 000010
【図９】
2004175329.tif 000011
【図１０】
2004175329.tif 000012
【図１１】
2004175329.tif 000013
【図１２】
2004175329.tif 000014
【図１３】
2004175329.tif 000015
【図１４】
2004175329.tif 000016
【図１５】
2004175329.tif 000017
【図１６】
2004175329.tif 000018
【図１７】
2004175329.tif 000019
【図１８】
2004175329.tif 000020